(57)【要約】【課題】除霜運転の終了時の冷媒音の発生を抑制すると共に、暖房運転の復帰時に起こり得る圧縮機の不具合を抑制する空気調和機を提供することを目的とする。【解決手段】本発明に係る空気調和機は、除霜運転を終了させてから暖房運転を復帰させるまでの間で、第１制御時間の間、圧縮機の回転速度を除霜運転時よりも低くし、かつ減圧装置の開度を全開とし、第１制御時間の経過後の第２制御時間の間、圧縮機を停止すると共に、減圧装置の開度を第１制御時間のときの開度よりも小さくするように制御するものである。【選択図】図２
2016211847.tif 000002
【特許請求の範囲】
【請求項１】
圧縮機、冷媒回路切換装置、室外熱交換器、減圧装置、及び室内熱交換器が接続され、冷媒が循環して冷凍サイクルを行なう冷媒回路と、
前記冷媒回路切換装置を制御して、前記圧縮機からの吐出冷媒が前記室内熱交換器へ流入して凝縮する暖房運転と、前記冷媒の循環方向を変えて前記圧縮機からの吐出冷媒が前記室外熱交換器へ流入して当該室外熱交換器に付着した霜を融解する除霜運転とを切り換える制御部と
を備え、
前記制御部は、除霜運転を終了させてから暖房運転を復帰させるまでの間で、第１制御時間の間、前記圧縮機の回転速度を除霜運転時よりも低くし、かつ前記減圧装置の開度を全開とし、前記第１制御時間の経過後の第２制御時間の間、前記圧縮機を停止すると共に、前記減圧装置の開度を前記第１制御時間のときの開度よりも小さくするように制御することを特徴とする空気調和機。
【請求項２】
前記減圧装置を第１減圧装置として有し、前記冷媒回路のうち当該第１減圧装置と前記室内熱交換器との間の冷媒回路に容器及び第２減圧装置を備え、
前記制御部は、前記第１制御時間の間、前記第２減圧装置の開度を除霜運転時の開度と同じ、または除霜運転時の開度よりも大きくし、前記第１制御時間の経過後の第２制御時間の間、前記第１制御時間の開度を維持することを特徴とする請求項１記載の空気調和機。
【請求項３】
前記減圧装置を第２減圧装置として有し、前記冷媒回路のうち当該第２減圧装置と前記室外熱交換器との間の冷媒回路に容器及び第１減圧装置を備え、
前記制御部は、前記第１制御時間の間、前記第１減圧装置の開度を除霜運転時の開度と同じ、または除霜運転時の開度よりも大きくし、前記第１制御時間の経過後の第２制御時間の間、前記第１制御時間の開度を維持することを特徴とする請求項１記載の空気調和機。
【請求項４】
前記冷媒は、Ｒ３２であることを特徴とする請求項１〜３の何れかに記載の空気調和機。
【発明の詳細な説明】
【技術分野】
【０００１】
本発明は、空気調和機に関するものである。
【背景技術】
【０００２】
従来の空気調和機として、暖房運転を所定時間行う毎に除霜運転を実施して、室外熱交換器に付着した霜を融解し、熱交換能力の低下を抑えるものがある（例えば、特許文献１参照）。
【先行技術文献】
【特許文献】
【０００３】
【特許文献１】特許第５５１６６９５号公報
【発明の概要】
【発明が解決しようとする課題】
【０００４】
従来の空気調和機では、除霜運転が終了してから暖房運転を復帰するまでの間、除霜運転の終了時に圧縮機の回転速度を除霜運転時の回転速度よりも低くすると同時に、減圧装置の開度を除霜運転時よりも小さくしている。このため、減圧装置の室外熱交換器側と室内熱交換器側との圧力差が小さくなり難く、この比較的大きな圧力差による比較的大量の冷媒の移動が減圧装置において生じ、除霜運転の終了時に減圧装置から冷媒音が発生するという課題があった。
【０００５】
また、前記動作の後、圧縮機を停止すると共に、減圧装置の開度を更に小さくしている。このため、暖房運転の復帰時においても前記圧力差が解消されず、圧縮機の起動時に、圧縮機の軸受に過大な負荷が掛かり、圧縮機が不具合を起こす可能性があるという課題があった。
【０００６】
本発明は、前記のような課題を解決するためになされたもので、除霜運転の終了時の冷媒音の発生を抑制すると共に、暖房運転の復帰時に起こり得る圧縮機の不具合を抑制する空気調和機を提供することを目的とする。
【課題を解決するための手段】
【０００７】
本発明に係る空気調和機は、圧縮機、冷媒回路切換装置、室外熱交換器、減圧装置、及び室内熱交換器が接続され、冷媒が循環して冷凍サイクルを行なう冷媒回路と、冷媒回路切換装置を制御して、圧縮機からの吐出冷媒が室内熱交換器へ流入して凝縮する暖房運転と、冷媒の循環方向を変えて圧縮機からの吐出冷媒が室外熱交換器へ流入して室外熱交換器に付着した霜を融解する除霜運転とを切り換える制御部とを備え、制御部は、除霜運転を終了させてから暖房運転を復帰させるまでの間で、第１制御時間の間、圧縮機の回転速度を除霜運転時よりも低くし、かつ減圧装置の開度を全開とし、第１制御時間の経過後の第２制御時間の間、圧縮機を停止すると共に、減圧装置の開度を第１制御時間のときの開度よりも小さくするように制御するものである。
【発明の効果】
【０００８】
本発明によれば、第１制御時間の動作により、減圧装置の室外熱交換器側と室内熱交換器側との圧力差を従来技術に比べ大幅に小さくすることができる。このため、除霜運転の終了時の減圧装置からの冷媒音の発生を抑えることができる。また、第１制御時間の間に、前記圧力差を大幅に小さくすることができるので、暖房運転の復帰時の圧力差を確実に解消でき、暖房運転の復帰時の圧縮機の不具合を抑制することができる。
【図面の簡単な説明】
【０００９】
【図１】本発明の実施の形態１における空気調和機の概略構成を示す冷媒回路図。
【図２】本発明の実施の形態１において除霜運転後の圧縮機の回転速度と減圧装置の開度を示すタイムチャート。
【図３】本発明の実施の形態１における室外熱交換器側と室内熱交換器側の圧力差の変化を従来技術と比較して示す図。
【図４】本発明の実施の形態２における空気調和機の概略構成を示す冷媒回路図。
【図５】本発明の実施の形態２において除霜運転後の圧縮機の回転速度と減圧装置の開度を示すタイムチャート。
【発明を実施するための形態】
【００１０】
以下、本発明に係る空気調和機の実施の形態について、図面を用いて詳細に説明する。
実施の形態１．
図１は本発明の実施の形態１における空気調和機の概略構成を示す冷媒回路図である。  実施の形態１における空気調和機は、室外機１０と、室内機２０と、室外機１０と室内機２０の双方を接続する液側及びガス側の延長配管３０ａ、３０ｂとで構成されている。室外機１０は、圧縮機１１、冷媒回路切換装置１２、室外熱交換器１３、減圧装置１４、室外送風機１５等を備え、室内機２０は、室内熱交換器２１、室内送風機２２等を備えている。
【００１１】
そして、圧縮機１１、冷媒回路切換装置１２、室外熱交換器１３、減圧装置１４、及び室内熱交換器２１が順次に環状に接続された冷媒回路が構成され、冷媒Ｒ３２が充填されている。この冷媒回路における圧縮機１１は、吐出側が冷媒回路切換装置１２の第１接続端（１）に接続され、吸入側が冷媒回路切換装置１２の第２接続端（２）に接続されている。また、冷媒回路切換装置１２の第３接続端（３）と第４接続端（４）との間には、第３接続端（３）側から室外熱交換器１３、減圧装置１４及び室内熱交換器２１が接続されている。
【００１２】
圧縮機１１は、例えばスクロール型またはロータリー型の全密閉型圧縮機が用いられている。圧縮機１１の電動機は、インバーターを介して商用電源に接続される。インバーターの出力周波数を変更すると、電動機の回転速度が変化し、これに伴って圧縮機１１の回転速度が変化する。
【００１３】
冷媒回路切換装置１２は、冷媒回路における冷媒の循環方向を切り換えて、空気調和機の運転（冷房運転、暖房運転及び除霜運転の何れか）を切り換える。この冷媒回路切換装置１２は、冷房運転あるいは除霜運転の際、第１接続端（１）が第３接続端（３）と連通すると共に、第２接続端（２）と第４接続端（４）とが連通する第１切換状態となる。また、暖房運転の際には、第１接続端（１）と第４接続端（４）とが連通すると共に、第２接続端（２）が第３接続端（３）と連通する第２切換状態となる。
【００１４】
室外熱交換器１３と室内熱交換器２１は、例えばクロスフィン型の熱交換器が用いられている。室外熱交換器１３は冷媒を室外空気と熱交換させ、室内熱交換器２１は冷媒を室内空気と熱交換させる。減圧装置１４は、例えば電子膨張弁で、パルスモータによって開度が可変するように構成されている。室外機１０に搭載されている制御装置４０は、圧縮機１１の回転速度、減圧装置１４の開度、冷媒回路切換装置１２の切り換え等、冷媒回路の各部の動作を制御する。なお、制御装置４０は、室外機１０に限らず、室内機２０に搭載されていても良いし、室外機１０ならびに室内機２０の両方に搭載され、互いに通信するようにしても良い。
【００１５】
また、この制御装置４０は、除霜運転が終了すると、第１制御時間（例えば、３０秒）の間、圧縮機１１の回転速度を除霜運転時よりも低くし、かつ除霜運転時の減圧装置１４の開度が全開のときには、減圧装置１４の開度を維持する。また、制御装置４０は、除霜運転時の減圧装置１４の開度が全開でないときには、減圧装置１４の開度を大きく（例えば、全開）する。そして、制御装置４０は、第１制御時間の経過後に、例えば第１制御時間と同じ長さの第２制御時間（例えば、３０秒）の間、圧縮機１１を停止すると共に、減圧装置１４の開度を第１制御時間のときの開度よりも小さくする。制御装置４０は、第２制御時間が経過すると、暖房運転が復帰するように冷媒回路切換装置１２を第２切換状態に切り換える。
【００１６】
ここで、前記のように構成された空気調和機の運転動作について説明する。
冷房運転では、制御装置４０により、冷媒回路切換装置１２が第１切換状態となり、減圧装置１４の開度は室外熱交換器１３から流出する冷媒の過冷却度が目標値になるように調整される。また、制御装置４０により、室外送風機１５と室内送風機２２の運転が行われる。
【００１７】
この状態で、制御装置４０により圧縮機１１が駆動されると、圧縮機１１から高温のガス冷媒が吐出される。このガス冷媒は、冷媒回路切換装置１２を介して室外熱交換器１３へ流入し、室外空気と熱交換されて液冷媒となり、室外熱交換器１３から流出する。そして、その液冷媒は、減圧装置１４で減圧されて気液二相冷媒になった後、室内熱交換器２１へ流入する。室内熱交換器２１に流入した気液二相冷媒は、室内空気と熱交換されて蒸発する。この時、室内送風機２２により吸引された室内空気が冷却される。室内熱交換器２１で蒸発したガス冷媒は、冷媒回路切換装置１２を介して圧縮機１１へ吸入される。この吸入されたガス冷媒は、圧縮機１１で圧縮されて再び吐出され、冷媒の循環が繰り返し行われる。
【００１８】
暖房運転では、制御装置４０により、冷媒回路切換装置１２が第２切換状態となり、減圧装置１４の開度は、室内熱交換器２１から流出する冷媒の過冷却度が目標値になるように調整される。また、制御装置４０により、室外送風機１５と室内送風機２２の運転が行われる。
【００１９】
この状態で、制御装置４０により圧縮機１１が駆動されると、圧縮機１１から高温のガス冷媒が吐出される。このガス冷媒は、冷媒回路切換装置１２を介して室内熱交換器２１へ流入し、室内空気と熱交換されて液冷媒となる。この時、室内送風機２２により吸引された室内空気が暖められる。その液冷媒は、減圧装置１４で減圧されて気液二相冷媒になった後、室外熱交換器１３へ流入する。室外熱交換器１３へ流入した気液二相冷媒は、室外空気と熱交換されてガス冷媒となり、室外熱交換器１３から流出する。そして、室外熱交換器１３から流出したガス冷媒は、冷媒回路切換装置１２を介して圧縮機１１へ吸入される。この吸入されたガス冷媒は、圧縮機１１で圧縮されて再び吐出され、冷媒の循環が繰り返し行われる。
【００２０】
除霜運転では、暖房運転中に、制御装置４０により、冷媒回路切換装置１２が第２切換状態から第１切換状態へと切り換わり、減圧装置１４の開度が予め設定された除霜運転時の開度（例えば、全開）となるように減圧装置１４が制御される。また、制御装置４０により、室外送風機１５と室内送風機２２の運転が停止される。
【００２１】
この状態で、制御装置４０により圧縮機１１が駆動されると、圧縮機１１から高温のガス冷媒が吐出される。このガス冷媒は、冷房運転時と同様に、冷媒回路切換装置１２を介して室外熱交換器１３へ流入し、室外熱交換器１３に付着した霜と熱交換されて液冷媒となる。この時、霜は高温のガス冷媒によって加熱されて融解する。そして、その液冷媒は、減圧装置１４で減圧されて気液二相冷媒になった後、室内熱交換器２１へ流入する。室内熱交換器２１に流入した冷媒は、冷媒回路切換装置１２を介して圧縮機１１へ吸入される。この吸入された冷媒は、圧縮機１１で圧縮されて再び吐出され、冷媒の循環が繰り返し行われる。この除霜運転は、予め定められた除霜完了の条件を満足するまで継続して行われる。例えば、除霜完了の条件として、予め制御装置４０に外気温度に応じた除霜運転時間が設定されている。そして、制御装置４０により、除霜運転を開始する際、室外機１０内に設置された温度検出手段（図示せず）の検出温度（外気温度）から除霜運転時間を選択し、その除霜運転時間が経過するまで除霜運転が行われる。あるいは、除霜完了の条件として、予め制御装置４０に室外熱交換器１３の温度条件（例えば、霜が確実に溶解する＋３℃）が設定されている。そして、制御装置４０により、除霜運転の開始後、室外機１０内の室外熱交換器１３に設置された温度検出手段（図示せず）の検出温度（室外熱交換器温度）が、予め設定された前記温度条件（この場合、＋３℃）に達するまで除霜運転が行われる。
【００２２】
次に、除霜運転が終了してから暖房運転を復帰させるまでの間の動作について、図２及び図３を用いて説明する。図２は本発明の実施の形態１において除霜運転後の圧縮機の回転速度と減圧装置の開度を示すタイムチャート、図３は本発明の実施の形態１における室外熱交換器側と室内熱交換器側の圧力差の変化を従来技術と比較して示す図である。なお、図２及び図３は、一例を示すものであって、この限りではない。
制御装置４０は、除霜運転が終了すると第１制御時間の間、圧縮機１１の回転速度を除霜運転時よりも低い回転速度で駆動すると共に、減圧装置１４の開度を除霜運転時の開度と同じ開度（例えば、全開）に維持する。また、制御装置４０は、冷媒回路切換装置１２の第１切換状態を維持し、室外送風機１５と室内送風機２２を停止状態のままとする。
なお、第１制御時間において、減圧装置１４の開度を除霜運転時の開度と同じ開度に維持することを述べたが、除霜運転時の減圧装置１４の開度が全開でないときには、減圧装置１４の開度を大きく（例えば、全開）する。
【００２３】
この時、冷媒回路においては、冷媒は除霜運転時と同じ方向に循環する。この場合も、室外熱交換器１３が凝縮器として作用し、室内熱交換器２１が蒸発器として作用する冷凍サイクルが行なわれる。そして、減圧装置１４に接続された室外熱交換器１３側と室内熱交換器２１側の双方の圧力差は、圧縮機１１の回転速度を低くしている一方、減圧装置１４の開度を除霜運転時の開度のまま維持、あるいは除霜運転時の開度よりも大きくしていることから、図３に示すように、除霜運転時と比べて大幅に小さくなる。
【００２４】
一方、前述した従来技術では、圧縮機１１の回転速度が除霜運転時よりも低い回転速度で駆動されると同時に、減圧装置１４の開度が除霜運転時の開度よりも小さくされるので、前記圧力差は除霜運転時と比べて小さくなるが、減圧装置１４の開度を小さくしている分だけ、前記実施の形態１よりも小さくならず、比較的大きな圧力差が維持される。このため、従来技術では、圧力差による冷媒の移動に伴う冷媒音の発生を抑えることができない。
【００２５】
制御装置４０は、第１制御時間が経過すると第２制御時間の間、圧縮機１１を停止すると共に、減圧装置１４の開度を第１制御時間のときの開度よりも小さくする（例えば、最低開度）。また、制御装置４０は、冷媒回路切換装置１２の第１切換状態を維持し、室外送風機１５と室内送風機２２を停止状態のままとする。
【００２６】
この時、冷媒回路においては、圧縮機１１が停止状態であるため、冷凍サイクルは行われず、減圧装置１４を経由して室外熱交換器１３側から室内熱交換器２１側へ冷媒が循環されることはなく、減圧装置１４に接続された室外熱交換器１３側と室内熱交換器２１側の双方の圧力差が解消されるよう、室外熱交換器１３内の冷媒の一部が減圧装置１４を通って室内熱交換器２１へと流れる。この場合、図３に示すように、前記圧力差は従来技術と比べ小さく、さらに減圧装置１４の開度を小さくしているため、室外熱交換器１３から室内熱交換器２１への液冷媒の流れが極少量に抑えられ、第２制御時間の終了時、すなわち、暖房運転の復帰時には、確実に前記圧力差が解消されている（圧力差がゼロになっている）。
なお、第２制御時間を第１制御時間と同じとしたが、第１制御時間を十分に長く設定すれば（例えば、４５秒）、第１制御時間における圧力差の降下がより大きくなり、第２制御時間を第１制御時間よりも短くすることができる。この場合でも、圧力差の解消を確実に行うことができる。あるいは、第２制御時間を第１制御時間よりも長くしてもよい。この場合には、圧力差の解消をより確実に行うことができる。
【００２７】
制御装置４０は、第２制御時間が経過すると、冷媒回路切換装置１２を第１切換状態から第２切換状態へと切り換えて、暖房運転を復帰させる。制御装置４０は、暖房運転の復帰時に、圧縮機１１を起動し、圧縮機１１の回転速度が段階的に高くなるように制御し、減圧装置１４を所定開度になるまで段階的に開度が大きくなるように制御する。この圧縮機１１の起動時、前記圧力差は解消されているので、圧縮機１１の軸受に過大な負荷が掛かることはなく、圧縮機１１が不具合を起こすおそれはない。
【００２８】
以上のように実施の形態１によれば、除霜運転が終了してから暖房運転が復帰するまでの間の第１制御時間においては、圧縮機１１の回転速度を低くする際に、減圧装置１４の開度を除霜運転時の開度と同じ開度に維持、あるいは除霜運転時の開度よりも大きくなるようにしている。これにより、圧力差を大幅に小さくすることができるので、冷媒音の発生を抑えることができる。
【００２９】
また、前述のように、第１制御時間において、減圧装置１４の開度を除霜運転時の開度と同じ開度に維持、あるいは除霜運転時の開度よりも大きくしている。また、第２制御時間においては、圧縮機１１を停止する際に、減圧装置１４の開度を第１制御時間の開度より小さくしている。これにより、第２制御時間の終了時、すなわち、暖房運転の復帰時に圧力差が解消されるので、圧縮機１１の軸受に過大な負荷が掛かることはなく、圧縮機１１が不具合を起こすおそれはない。
【００３０】
以上説明したように、本発明は、室内を暖房する暖房運転と、室外熱交換器１３を除霜する除霜運転とを行なう空気調和機について有用である。
【００３１】
実施の形態２．
実施の形態１では、圧縮機１１の回転速度と減圧装置１４の開度とを制御して、冷媒音の発生と圧縮機の不具合を抑えるようにしたが、実施の形態２は、圧縮機１１の回転速度と２つの減圧装置の開度とを制御して、冷媒音の発生と圧縮機の不具合を抑えるようにしたものである。
図４は本発明の実施の形態２における空気調和機の概略構成を示す冷媒回路図である。なお、実施の形態１と同様の部分には同じ符号を付している。また、実施の形態１と同様の部分には、その説明を省略する。
【００３２】
実施の形態２における空気調和機は、図４に示すように、減圧装置１４（第１減圧装置）と室内熱交換器２１との間に、容器１６と減圧装置１７（第２減圧装置）とが付加された室外機１０を備えている。この空気調和機の冷媒回路は、圧縮機１１の吐出側が冷媒回路切換装置１２の第１接続端（１）に接続され、その吸入側が容器１６の第５接続端（５）から第６接続端（６）を介して、冷媒回路切換装置１２の第２接続端（２）に接続されている。また、冷媒回路切換装置１２の第３接続端（３）と第４接続端（４）との間には、第３接続端（３）側から順に室外熱交換器１３、減圧装置１４、容器１６、減圧装置１７、室内熱交換器２１が接続されている。
【００３３】
減圧装置１７は、減圧装置１４と同様に電子膨張弁で、パルスモータによって開度が可変するように構成されている。制御装置４０ａは、圧縮機１１の回転速度、減圧装置１４、１７の開度、冷媒回路切換装置１２の切り換え等、冷媒回路の各部の動作を制御する。
【００３４】
また、制御装置４０ａは、除霜運転が終了すると、第１制御時間（例えば、３０秒）の間、圧縮機１１の回転速度を除霜運転時よりも低くし、かつ除霜運転時の減圧装置１４の開度が全開のときには、減圧装置１４の開度を維持する。また、除霜運転時の減圧装置１７の開度が全開のときには、減圧装置１７の開度を維持する。
なお、減圧装置１４、１７は、除霜運転時の開度が全開でないときには、その減圧装置１４の開度を大きく（例えば、全開）する。
制御装置４０ａは、第１制御時間の経過後に、例えば第１制御時間と同じ長さの第２制御時間（例えば、３０秒）の間、圧縮機１１を停止すると共に、減圧装置１４の開度を第１制御時間のときの開度よりも小さくし、減圧装置１７の開度を維持する。制御装置４０ａは、第２制御時間を経過したときには、暖房運転が復帰するように冷媒回路切換装置１２を第２切換状態に切り換える。
【００３５】
ここで、実施の形態２における空気調和機の運転動作について説明する。この空気調和機では、実施の形態１と同様に、冷房運転及び暖房運転と室外熱交換器１３を除霜する除霜運転とが行なわれる。
【００３６】
冷房運転では、制御装置４０ａにより、冷媒回路切換装置１２が第１切換状態となり、減圧装置１４の開度が室外熱交換器１３から流出する冷媒の過冷却度が目標値になるように調整される。また、制御装置４０ａにより、減圧装置１７の開度が圧縮機１１の吐出温度が目標値になるように調整される。さらに、制御装置４０ａにより、室外送風機１５と室内送風機２２の運転が行われる。
【００３７】
この状態で、制御装置４０ａにより圧縮機１１が駆動されると、圧縮機１１から高温のガス冷媒が吐出される。このガス冷媒は、冷媒回路切換装置１２を介して室外熱交換器１３へ流入し、室外空気と熱交換されて液冷媒となり、室外熱交換器１３から流出する。そして、その液冷媒は、減圧装置１４と減圧装置１７とで順に減圧されて気液二相冷媒となった後、室内熱交換器２１へ流入する。室内熱交換器２１に流入した気液二相冷媒は、室内空気と熱交換されて蒸発する。この時、室内送風機２２により吸引された室内空気が冷却される。室内熱交換器２１で蒸発したガス冷媒は、冷媒回路切換装置１２、容器１６を介して圧縮機１１へ吸入される。この吸入されたガス冷媒は、圧縮機１１で圧縮されて再び吐出され、冷媒の循環が繰り返し行われる。
【００３８】
暖房運転では、制御装置４０ａにより、冷媒回路切換装置１２が第２切換状態となり、減圧装置１７の開度が室内熱交換器２１から流出する冷媒の過冷却度が目標値になるように調整される。また、制御装置４０ａにより、減圧装置１４の開度が圧縮機１１の吐出温度が目標値になるように調整される。さらに、制御装置４０ａにより、室外送風機１５と室内送風機２２の運転が行われる。
【００３９】
この状態で、制御装置４０ａにより圧縮機１１が駆動されると、圧縮機１１から高温のガス冷媒が吐出される。このガス冷媒は、冷媒回路切換装置１２を介して室内熱交換器２１へ流入し、室内空気と熱交換されて液冷媒となる。この時、室内送風機２２により吸引された室内空気が暖められる。その液冷媒は、減圧装置１７と減圧装置１４とで順に減圧されて気液二相冷媒となった後、室外熱交換器１３へ流入する。室外熱交換器１３へ流入した気液二相冷媒は、室外空気と熱交換されてガス冷媒となり、室外熱交換器１３から流出する。そして、室外熱交換器１３から流出したガス冷媒は、冷媒回路切換装置１２、容器１６を介して圧縮機１１へ吸入される。この吸入されたガス冷媒は、圧縮機１１で圧縮されて再び吐出され、冷媒の循環が繰り返し行われる。
【００４０】
除霜運転では、暖房運転中に、制御装置４０ａにより、冷媒回路切換装置１２が第２切換状態から第１切換状態へと切り換わり、減圧装置１４と減圧装置１７の開度が予め設定された除霜運転時の開度（例えば、全開）となるように減圧装置１４と減圧装置１７とが制御される。また、制御装置４０により、室外送風機１５と室内送風機２２の運転が停止される。
【００４１】
この状態で、制御装置４０ａにより圧縮機１１が駆動されると、圧縮機１１から高温のガス冷媒が吐出される。このガス冷媒は、冷房運転時と同様に、冷媒回路切換装置１２を介して室外熱交換器１３へ流入し、室外熱交換器１３に付着した霜と熱交換されて液冷媒となる。この時、霜は高温のガス冷媒によって加熱されて融解する。そして、その液冷媒は、減圧装置１４と減圧装置１７とで順に減圧されて気液二相冷媒になった後、室内熱交換器２１へ流入する。室内熱交換器２１に流入した冷媒は、冷媒回路切換装置１２、容器１６を介して圧縮機１１へ吸入される。この吸入された冷媒は、圧縮機１１で圧縮されて再び吐出され、冷媒の循環が繰り返し行われる。この除霜運転は、実施の形態１と同様に、予め定められた除霜完了の条件を満足するまで継続して行われる。
【００４２】
次に、除霜運転が終了してから暖房運転を復帰させるまでの間の動作について、図３及び図５を用いて説明する。図５は本発明の実施の形態２において除霜運転後の圧縮機の回転速度と減圧装置の開度を示すタイムチャートである。なお、図５は一例を示すものであって、この限りではない。
制御装置４０ａは、除霜運転が終了すると第１制御時間の間、圧縮機１１の回転速度を除霜運転時よりも低い回転速度で駆動すると共に、減圧装置１４の開度を除霜運転時の開度と同じ開度（例えば、全開）に維持する。また、制御装置４０ａは、減圧装置１７の開度を除霜運転時の開度と同じ開度（例えば、全開）に維持する。この時、２つの減圧装置１４、１７に接続された室外熱交換器１３側と室内熱交換器２１側の双方の圧力差は、実施の形態１と同様に、除霜運転時と比べて大幅に小さくなる（図３参照）。
そして、制御装置４０ａは、第１制御時間の経過後の第２制御時間の間、圧縮機１１の運転を停止し、減圧装置１４の開度を第１制御時間のときの開度よりも小さくする。また、制御装置４０ａは、減圧装置１７の開度を第１制御時間のときと同じ開度（この場合、全開）に維持する。これにより、図３に示すように、前記圧力差はさらに小さくなり、第２制御時間の終了時、すなわち、暖房運転の復帰時には、確実に前記圧力差が解消されている。
なお、第１制御時間における減圧装置１４、１７の開度を除霜運転時の開度と同じ開度に維持することを述べたが、除霜運転時の減圧装置１４、１７の開度が全開でないときには、減圧装置１４、１７の開度を大きく（例えば、全開）する。また、第２制御時間を第１制御時間と同じとしたが、第１制御時間を十分に長く設定すれば（例えば、４５秒）、第１制御時間における圧力差の降下がより大きくなり、第２制御時間を第１制御時間よりも短くすることができる。この場合でも、圧力差の解消を確実に行うことができる。あるいは、第２制御時間を第１制御時間よりも長くしてもよい。この場合には、圧力差の解消をより確実に行うことができる。
【００４３】
制御装置４０ａは、第２制御時間が経過すると、冷媒回路切換装置１２を第１切換状態から第２切換状態へと切り換えて、暖房運転を復帰させる。制御装置４０ａは、暖房運転の復帰時に、圧縮機１１を起動し、圧縮機１１の回転速度が段階的に高くなるように制御し、減圧装置１４を所定開度になるまで段階的に開度が大きくなるように制御する。そして、制御装置４０ａは、減圧装置１７を全開から所定開度まで小さくなるように制御する。
【００４４】
以上のように実施の形態２によれば、除霜運転が終了してから暖房運転が復帰するまでの間の第１制御時間においては、圧縮機１１の回転速度を低くする際に、減圧装置１４の開度を除霜運転時の開度と同じ開度に維持、あるいは除霜運転時の開度よりも大きくすると共に、減圧装置１７の開度を除霜運転時の開度と同じ開度に維持、あるいは除霜運転時の開度よりも大きくしている。これにより、２つの減圧装置１４、１７に接続された室外熱交換器１３側と室内熱交換器２１側の双方の圧力差を大幅に小さくすることができるので、冷媒音の発生を抑えることができる。
【００４５】
また、前述のように、第１制御時間において、減圧装置１４の開度を除霜運転時の開度と同じ開度に維持、あるいは除霜運転時の開度よりも大きくすると共に、減圧装置１７の開度を除霜運転時の開度と同じ開度に維持、あるいは除霜運転時の開度よりも大きくしている。また、第２制御時間においては、圧縮機１１を停止する際に、減圧装置１４の開度を第１制御時間の開度より小さくしている。これにより、第２制御時間の終了時、すなわち、暖房運転の復帰時に圧力差が解消されるので、圧縮機１１の軸受に過大な負荷が掛かることはなく、圧縮機１１が不具合を起こすおそれはない。
【００４６】
なお、減圧装置１４、１７の第１制御時間ならびに第２制御時間の動作は、互いに入れ替えても（逆にしても）、同等の効果を得ることができる。つまり、第１制御時間においては、減圧装置１７の開度を除霜運転時の開度と同じ開度に維持、あるいは除霜運転時の開度よりも大きくすると共に、減圧装置１４の開度を除霜運転時の開度と同じ開度に維持、あるいは除霜運転時の開度よりも大きくする。また、第２制御時間においては、圧縮機１１を停止する際に、減圧装置１７の開度を第１制御時間の開度より小さくする。これにより、第２制御時間の終了時、すなわち、暖房運転の復帰時に圧力差が解消されるので、圧縮機１１の軸受に過大な負荷が掛かることはなく、圧縮機１１が不具合を起こすおそれはない。
また、第２制御時間を第１制御時間と同じとしたが、第１制御時間を十分に長く設定すれば（例えば、４５秒）、第１制御時間における圧力差の降下がより大きくなり、第２制御時間を第１制御時間よりも短くすることができる。この場合でも、圧力差の解消を確実に行うことができる。あるいは、第２制御時間を第１制御時間よりも長くしてもよい。この場合には、圧力差の解消をより確実に行うことができる。
【符号の説明】
【００４７】
１０  室外機、１１  圧縮機、１２  冷媒回路切換装置、１３  室外熱交換器、１４  減圧装置（第１減圧装置）、１５  室外送風機、１６  容器、１７  減圧装置（第２減圧装置）、２０  室内機、２１  室内熱交換器、２２  室内送風機、３０ａ、３０ｂ  延長配管、４０、４０ａ  制御装置、（１）  第１接続端、（２）  第２接続端、（３）  第３接続端、（４）  第４接続端、（５）  第５接続端、（６）  第６接続端、（７）  第７接続端、（８）  第８接続端。
【図１】
2016211847.tif 000003
【図２】
2016211847.tif 000004
【図３】
2016211847.tif 000005
【図４】
2016211847.tif 000006
【図５】
2016211847.tif 000007